(57)【要約】【課題】ＡＣ電源ケーブルの挿抜時に応力が加わっても半田剥がれの生じにくいＡＣインレット固定構造およびプロジェクタ装置の提供を目的とする。【解決手段】当接部を略コの字型に形成するとともに当接部より右フランジ部４０ｂと左フランジ部４０ａとが側方に張り出すことによりハット型に成型し、右フランジ部４０ｂより下方に略垂直に屈曲するとともに略垂直に屈曲されて右フランジ部を真下にオフセットした位置に面が形成されるように回り込み部４１を形成する。当接部がＡＣインレット３０を電源基板１２との間に保持しつつ、ネジ穴４０ｉ，３０ｄ，１２ｂ，４０ｈをネジにて挿通して右フランジ部４０ｂと回り込み部４１とを電源基板１２に対して固定し、ネジ穴４０ｋ，３０ｃ，１２ａをネジにて挿通して左フランジ部４０ａを電源基板１２に対して固定し、ＡＣインレット３０を電源基板１２に対して固定する。【選択図】図４
2007280644.tif 000002
【特許請求の範囲】
【請求項１】
外部より電源を供給されて各種電源電圧を供給する電源基板と、
映像／音声信号および各種制御信号が入出力される入出力端子を備える入出力基板と、
同入出力基板が戴置されるシャーシと、
上記入出力基板より出力される映像信号に基づいて光学系を制御する映像信号処理基板と、
白色光を生成可能な光源装置と、ＲＧＢの３色のカラ−フィルタを具備する円盤状のカラ−ホイ−ルと、同カラーフィルタを通過したＲ、ＧまたはＢの光を集めて当該光を案内するロッドインテグレ−タと、複数のマイクロミラ−を具備するＤＭＤと、上記ロッドインテグレ−タからの光を上記ＤＭＤに向けて反射させるミラ−と、同ＤＭＤからの反射映像光を外部のスクリ−ンに投影させるための投影レンズとを備えて、上記映像信号処理基板の制御に基づいて映像をスクリーンに投影する光学系と、
各構成部品を収容する扁平な略直方体状の筐体と、
を備えるプロジェクタ装置において、
上記筐体には、上記電源基板や上記シャーシなどを戴置するためのネジ受けボスが複数形成され、各基板上に配置されるコネクタ類や光学系の投影レンズ等を外部に露出させる穴が所定の位置に形成され、
上記電源基板は、上記筐体の一方の端に沿って略水平に上記ネジ受けボスの上に戴置されてネジ止めされ、上記筐体の端に沿う側の一方の角には、ＡＣインレットがＡＣ電源ケーブルを挿入されるコネクタ部を上記筐体の外に向けつつ配置され、
上記シャーシは、上記電源基板の上方に略水平に配置され、上記筐体に形成されるネジ受けボスなどにて所定の高さに保持され、複数の切り起しが形成されて上記入出力基板が同切り起しの上に戴置されるとともにネジ止めなどにて固定され、
上記入出力基板は、映像／音声信号が入出力される端子やＰＣなどの外部制御機器からの制御信号が入出力される端子などの入出力端子を、上記筐体の一方の端に沿って外部に露出させ、
上記ＡＣインレットは、ＡＣ電源ケーブルのコネクタが挿入される穴が形成される略直方体状の本体部と、その左右に張り出す左裾部と右裾部と、同左裾部に上下方向に貫通する穴として形成されるネジ穴と、同右裾部に上下方向に貫通する穴として形成されるネジ穴と、背面より下方に向けて突出してＡＣ電源電圧を電源基板に対して供給する端子と、アース電位供給用の端子とを備え、固定金具が上面と左右両側面に当接され、同固定金具とともに上記電源基板にネジ止め固定され、
上記固定金具は、幅の細い細長の板金を折り曲げ成型することにより形成され、上面と、左側面と、右側面と、左フランジ部と、右フランジ部と、側壁と下面とから構成される回り込み部と、上記上面においてネジ切りのされた穴として形成されるネジ穴と、上記左フランジ部に穴として形成されるネジ穴と、上記右フランジ部に穴として形成されるネジ穴と、下面に穴として形成されるネジ穴と、を備えて、上記上面と上記左側面と上記右側面とは上面の両端部より左側面と右側面とが同方向かつ略垂直に屈曲形成されて略コ字型とされ、上記左側面と上記右側面の端部から、略垂直側方に上記左フランジ部と上記右フランジ部とが互いに逆向きに屈曲形成され、上記上面と上記左側面と上記右側面と上記左フランジ部と上記右フランジ部とでハット型が形成され、上記右フランジ部からは略垂直下方に屈曲形成される側壁が形成されるとともに上記右フランジ部を真下にオフセットした位置に形成されるように略垂直に屈曲形成される下面が形成されて回り込み部を形成し、
上記電源基板には、上記右フランジ部と上記左フランジ部のネジ穴に対応する位置にそれぞれネジ穴が形成され、
上記電源基板のネジ穴と上記右フランジ部と上記左フランジ部のネジ穴の位置がそれぞれ合うように、上記端子を上記電源基板に半田付けし、
上記上面と上記左側面と上記右側面とが上記ＡＣインレットの本体部を上方より囲うようにはめ込まれ、上記ＡＣインレットの右裾部は、上記右フランジ部のネジ穴，上記右裾部のネジ穴，上記電源基板のネジ穴、上記下面のネジ穴の順に上方よりネジを挿入されて上記筐体の底面に形成されるネジ受けボスに対してネジ止めされることにより一本のネジにて共締めされて固定され、上記ＡＣインレットの左裾部は、上記左フランジ部のネジ穴，上記左裾部のネジ穴，上記電源基板のネジ穴の順に上方よりネジを挿入されて上記筐体の底面に形成されるネジ受けボスに対してネジ止めされることにより一本のネジにて固定される
ことを特徴とするプロジェクタ装置。
【請求項２】
接点が基板に半田付けされるＡＣインレットを固定金具にて同基板上に固定するＡＣインレット固定構造において、
上記ＡＣインレットはコネクタ部を上記基板の端より外側に向けて上記基板の角に配置され、
上記固定金具は、細長の一本の板金を折り曲げ成型することにより、上記ＡＣインレットの上面と左右側面とに当接する当接部と、同当接部より側方に張り出して上記基板の縁へと延びる第一フランジ部と、同当接部より同第一フランジ部と反対の側方に張り出す第二フランジ部と、同第一フランジ部より延びて上記基板の下へと回り込みつつ同第一フランジ部と対応する位置に配される回り込み部と、上記第一フランジ部に形成される第一の穴と、上記第二フランジ部に形成される第二の穴と、上記回り込み部の上記第一の穴と対応する位置に形成される第三の穴と、を備え、
上記基板には、上記第一の穴と上記第二の穴とに対応する位置に穴が形成され、
上記当接部が上記ＡＣインレットを上記基板との間に保持しつつ、上記第一フランジ部と上記回り込み部とが上記基板を間に挟みこんで一本のネジにて共締めされ、上記第二フランジ部が上記基板にネジ止めされる
ことを特徴とするＡＣインレット固定構造。
【請求項３】
上記当接部は、上記ＡＣインレットの上面と接する面が、上記ＡＣインレットに凸面を向けた曲線状に形成される
ことを特徴とする上記請求項２に記載のＡＣインレット固定構造。
【請求項４】
上記基板には、上記回り込み部の取り付け位置を表す位置決め半田盛が形成される
ことを特徴とする上記請求項２または請求項３に記載のＡＣインレット固定構造。
【請求項５】
上記基板には、上記第一フランジ部の取り付け位置を表す位置決め半田盛が形成される
ことを特徴とする上記請求項２〜請求項４のいずれかに記載のＡＣインレット固定構造。
【請求項６】
上記ＡＣインレットは、左右に張り出すとともにそれぞれ穴が形成された第一の裾および第二の裾を有し、
上記当接部が上記ＡＣインレットを上記基板との間に保持しつつ、上記第一フランジ部と上記回り込み部とが上記第一の裾と上記基板とを間に挟みこんで一本のネジにて共締めされ、上記第二フランジ部と上記第二の裾とが上記基板にネジ止めされる
ことを特徴とする上記請求項２〜請求項５のいずれかに記載のＡＣインレット固定構造。
【請求項７】
上記基板と上記ＡＣインレットと上記固定金具とは、筐体に収容され、
上記第一フランジ部と上記回り込み部とが上記第一の裾と上記基板とを間に挟みこんで一本のネジにて上記筐体の所定の位置に形成されたネジ受けボスに共締めされ、
上記第二フランジ部と上記第二の裾と上記基板とが上記筐体の所定の位置に形成されたネジ受けボスにネジ止めされる
ことを特徴とする上記請求項２〜請求項６のいずれかに記載のＡＣインレット固定構造。
【請求項８】
上記固定金具には、ネジ穴が設けられており、同ネジ穴に他の金属部材がネジ止め可能とされる
ことを特徴とする上記請求項２〜請求項６のいずれかに記載のＡＣインレット固定構造。
【発明の詳細な説明】
【技術分野】
【０００１】
本発明は、プロジェクタ装置およびＡＣインレット固定構造に関する。
【背景技術】
【０００２】
従来のＡＣインレット固定構造およびプロジェクタ装置の全体を見た斜視図を図８に、ＡＣインレットの部分をプロジェクタ装置の内側より見た斜視図を図９に示す。図８には、プロジェクタ装置の筐体４の上部を取り外して示すとともに、プロジェクタ装置におけるＡＣインレット固定構造以外の光学系などの部分については図示を省略してある。同図において、略矩形の筐体４の内底面には、ネジ受けボスが複数形成されている。電源基板１は、筐体の一方の端に沿って略水平にネジ受けボスの上に戴置され、ネジ受けボスに対してネジ止めされることにより、筐体４に対して固定されている。
【０００３】
電源基板１の上方には金属製のシャーシ３が略水平に配置され、ネジ受けボスや後述する固定金具７などにて所定の高さに保持されている。シャーシ３の上には複数の切り起しが形成され、入出力基板２が同切り起しの上に戴置されるとともにネジ止め固定されている。入出力基板２は、映像／音声信号が入出力される端子や、ＰＣなどの外部制御機器からの制御信号が入出力される端子などを筐体４の一方の端に露出させており、電源基板１から電源の供給を受けつつ、入出力される信号を所定のインターフェース５を介して図示しない映像信号処理基板に対して送受信する。
【０００４】
電源基板１において、筐体４の端に沿う側の角には、ＡＣインレット６がＡＣ電源ケーブルを挿入されるコネクタ部を筐体の外に向けつつ配置され、同ＡＣインレット６の背面より下方に突出する端子６ｃ、６ｄが電源基板１の所定の挿入穴に挿入されて半田付けされている。また。ＡＣインレット６はコネクタ部を正面に見て、基板面に沿って左右に広がる裾部６ａ，６ｂを持ち、同裾部６ａ，６ｂにはそれぞれネジ穴６ｅ，６ｆが形成されている。さらに、電源基板１上にも、同ネジ穴６ｅ，６ｆに対応する位置にネジ穴が形成され、その下に筐体４に形成されたネジ受けボス４ａ，４ｂがそれぞれ位置している。
【０００５】
固定金具７は、右の裾部６ｂと電源基板１とを上下から挟み込むようにはめ込まれる。同固定金具７においてＡＣインレット６の上となる部分７ｂと、同固定金具７において基板の下となる部分７ａとには、それぞれネジ穴６ｆの位置に合わせてネジ穴７ｃ、７ｇが形成される。
【０００６】
そして左の裾部６ａにおいては、同裾部と電源基板１とがネジ受けボス４ａに対してネジ止めされ、右の裾部６ｂにおいては、同裾部と電源基板１とを固定金具７が挟み込みつつネジ受けボス４ｂに対してネジ止めされる。
【０００７】
また、固定金具７はＡＣインレット６の裾部の上面よりさらに略垂直に上方へとシャーシ３の高さまで延出される延出部７ｄを備えるとともに、同シャーシ３に沿って略水平に曲げられるとともにネジ穴７ｆを備える台部７ｅを形成し、シャーシ３がネジ穴７ｆにネジ止めされることにより、シャーシ３の高さ保持および固定に利用される。
【０００８】
上述した内容の他に、ＡＣインレットを基板上に固定する構造について、以下のようなものが知られている。特許文献１には、ネジ受けボスを基板に開けた貫通口に挿通し、その突出した上端にＡＣインレットを固定することにより、プリント配線基板に歪みを与えずに電子機器本体にネジ固定する方法について開示されている。特許文献２には、インレット上部に形成した凸部と金属部材とを嵌合させ、金属部材を基板に半田付けすることによりノイズ除去とインレットに対するグランドの供給とを行う電子装置について開示されている。特許文献３には、ＡＣインレット下面に突起と凸部とを設けるとともに、同ＡＣインレットの取り付けられる基板面に切欠部と穴とを設け、互いに嵌合させることによりインレット部の高さを低くすると同時に、接続を強固にしたＡＣアダプターについて開示されている。
【特許文献１】特開平１０−１２３２９号
【特許文献２】特開平６−２４３９３２号
【特許文献３】特開２０００−７７１４３号
【発明の開示】
【発明が解決しようとする課題】
【０００９】
上述した従来のＡＣインレット固定構造では、ＡＣ電源ケーブルの挿抜時に加わる応力にて、半田付けにクラックが生じることがあった。特に、捻り方向への応力により半田部の破損が生じやすかった。また、上述した特許文献１〜３でも、上述した課題を解決できなかった。
【００１０】
本発明は、上記課題にかんがみてなされたもので、ＡＣ電源ケーブルの挿抜時に加わる応力（特に捻り方向の応力）が加わっても半田剥がれの生じにくいＡＣインレット固定構造およびプロジェクタ装置の提供を目的とする。
【課題を解決するための手段】
【００１１】
上記課題を解決するために、本発明の請求項１にかかる発明では、外部より電源を供給されて各種電源電圧を供給する電源基板と、映像／音声信号および各種制御信号が入出力される入出力端子を備える入出力基板と、同入出力基板が戴置されるシャーシと、上記入出力基板より出力される映像信号に基づいて光学系を制御する映像信号処理基板と、白色光を生成可能な光源装置と、ＲＧＢの３色のカラ−フィルタを具備する円盤状のカラ−ホイ−ルと、同カラ−ホイ−ルにより分離されたＲ、ＧまたはＢの光を集め、当該光を案内するロッドインテグレ−タと、同ロッドインテグレ−タからの光を反射させるミラ−と、複数のマイクロミラ−を具備するＤＭＤと、同ＤＭＤからの光をスクリ−ンに投影させるための投影レンズとを備えて、上記映像信号処理基板の制御に基づいて映像をスクリーンに投影する光学系と、各構成部品を収容する扁平な略直方体状の筐体と、を備えるプロジェクタ装置において、上記筐体には、上記電源基板や上記シャーシなどを戴置するためのネジ受けボスが複数形成され、各基板上に配置されるコネクタ類や光学系の投影レンズ等を外部に露出させる穴が所定の位置に形成され、上記電源基板は、上記筐体の一方の端に沿って略水平に上記ネジ受けボスの上に戴置されてネジ止めされ、上記筐体の端に沿う側の一方の角には、ＡＣインレットがＡＣ電源ケーブルを挿入されるコネクタ部を上記筐体の外に向けつつ配置され、上記シャーシは、上記電源基板の上方に略水平に配置され、上記筐体に形成されるネジ受けボスなどにて所定の高さに保持され、複数の切り起しが形成されて上記入出力基板が同切り起しの上に戴置されるとともにネジ止めなどにて固定され、上記入出力基板は、映像／音声信号が入出力される端子やＰＣなどの外部制御機器からの制御信号が入出力される端子などの入出力端子を、上記筐体の一方の端に沿って外部に露出させ、上記ＡＣインレットは、ＡＣ電源ケーブルのコネクタが挿入される穴が形成される略直方体状の本体部と、その左右に張り出す左裾部と右裾部と、同左裾部に上下方向に貫通する穴として形成されるネジ穴と、同右裾部に上下方向に貫通する穴として形成されるネジ穴と、背面より下方に向けて突出してＡＣ電源電圧を電源基板に対して供給する端子と、アース電位供給用の端子とを備え、固定金具が上面と左右両側面に当接され、同固定金具とともに上記電源基板にネジ止め固定され、上記固定金具は、幅の細い細長の板金を折り曲げ成型することにより形成され、上面と、左側面と、右側面と、左フランジ部と、左フランジ部と、側壁と下面とから構成される回り込み部と、上記上面においてネジ切りのされた穴として形成されるネジ穴と、上記左フランジ部に穴として形成されるネジ穴と、上記右フランジ部に穴として形成されるネジ穴と、下面に穴として形成されるネジ穴と、を備えて、上記上面と上記左側面と上記右側面とは上面の両端部より左側面と右側面とが同方向かつ略垂直に屈曲形成されて略コ字型とされ、上記左側面と上記右側面の端部から、略垂直側方に上記左フランジ部と上記右フランジ部とが互いに逆向きに屈曲形成され、上記上面と上記左側面と上記右側面と上記左フランジ部と上記右フランジ部とでハット型が形成され、上記右フランジ部からは略垂直下方に屈曲形成される側壁が形成されるとともに上記右フランジ部を真下にオフセットした位置に形成されるように略垂直に屈曲形成される下面が形成されて回り込み部を形成し、上記電源基板には、上記右フランジ部と上記左フランジ部のネジ穴に対応する位置にそれぞれネジ穴が形成され、上記電源基板のネジ穴と上記右フランジ部と上記左フランジ部のネジ穴の位置がそれぞれ合うように、上記端子を上記電源基板に半田付けし、上記上面と上記左側面と上記右側面とが上記ＡＣインレットの本体部を上方より囲うようにはめ込まれ、上記ＡＣインレットの右裾部は、上記右フランジ部のネジ穴，上記右裾部のネジ穴，上記電源基板のネジ穴、上記下面のネジ穴の順に上方よりネジを挿入されて上記筐体の底面に形成されるネジ受けボスに対してネジ止めされることにより一本のネジにて共締めされて固定され、上記ＡＣインレットの左裾部は、上記左フランジ部のネジ穴，上記左裾部のネジ穴，上記電源基板のネジ穴の順に上方よりネジを挿入されて上記筐体の底面に形成されるネジ受けボスに対してネジ止めされることにより一本のネジにて固定される構成としてある。
【００１２】
また、請求項２にかかる発明は、接点が基板に半田付けされるＡＣインレットを固定金具にて同基板上に固定するＡＣインレット固定構造において、上記ＡＣインレットはコネクタ部を上記基板の端より外側に向けて上記基板の角に配置され、上記固定金具は、細長の一本の板金を折り曲げ成型することにより、上記ＡＣインレットの上面と左右側面とに当接する当接部と、同当接部より側方に張り出して上記基板の縁へと延びる第一フランジ部と、同当接部より同第一フランジ部と反対の側方に張り出す第二フランジ部と、同第一フランジ部より延びて上記基板の下へと回り込みつつ同第一フランジ部と対応する位置に配される回り込み部と、上記第一フランジ部に形成される第一の穴と、上記第二フランジ部に形成される第二の穴と、上記回り込み部の上記第一の穴と対応する位置に形成される第三の穴と、を備え、上記基板には、上記第一の穴と上記第二の穴とに対応する位置に穴が形成され、上記当接部が上記ＡＣインレットを上記基板との間に保持しつつ、上記第一フランジ部と上記回り込み部とが上記基板を間に挟みこんで一本のネジにて共締めされ、上記第二フランジ部が上記基板にネジ止めされる構成である
【００１３】
すなわち、上記当接部が略コの字型に形成されるとともに、同当接部より上記第一フランジ部と上記第二フランジ部とが側方に張り出すことによりハット型に成型さる。また、上記第一フランジ部より下方に略垂直に屈曲するとともにさらに略垂直に屈曲されて上記第一フランジ部を真下にオフセットした位置に面が形成されるように上記回り込み部が形成される。
【００１４】
そして、上記当接部が上記ＡＣインレットを上記基板との間に保持しつつ、上記第一の穴と上記基板に形成される穴と上記第三の穴とをネジにて挿通して上記第一フランジ部と上記回り込み部とを上記基板に対して固定するとともに、上記第二の穴と上記基板に形成される穴とをネジにて挿通して上記第二フランジ部を上記基板に対して固定し、上記ＡＣインレットを上記基板に対して固定する。  
【００１５】
そして、請求項３にかかる発明では、上記請求項２に記載のＡＣインレット固定構造において、上記当接部は、上記ＡＣインレットの上面と接する面が、上記ＡＣインレットに凸面を向けた曲線状に形成される構成としてある。
すなわち、上記ＡＣインレットにＡＣ電源ケーブルを抜き挿しする際に前後左右やねじり方向に対する応力が発生しても、上記ＡＣインレットは、容易には動かず、上記基板に半田付けされた接点がにおいて、半田剥がれが生じにくい構造と成る。
【００１６】
さらに、請求項４にかかる発明では、上記請求項２または請求項３に記載のＡＣインレット固定構造において、上記基板には、上記回り込み部の取り付け位置を表す位置決め半田盛が形成される構成としてある。
すなわち、上記半田盛の形成される位置としては、上記固定金具が上記ＡＣインレットと上記基板とを挟んで保持しつつネジ止めされる状態で、同固定金具の両脇であり、上記回り込み部の取り付け位置を表す位置であればよい。この構成により、上記固定金具を上記ＡＣインレットにはめ込んでネジ止めする際に、上記固定金具をＡＣインレットの前後方向における位置あわせが容易となり、ネジ止めの作業性が向上する。
【００１７】
さらに、請求項５にかかる発明は、上記請求項２〜請求項４のいずれかに記載のＡＣインレット固定構造において、上記基板には、上記第一フランジ部の取り付け位置を表す位置決め半田盛が形成される構成としてある。
【００１８】
すなわち、上記半田盛の形成される位置としては、上記固定金具が上記ＡＣインレットと上記基板とを挟んで保持しつつネジ止めされる状態で、同固定金具の両脇であり、上記第一フランジ部の取り付け位置を表す位置であればよい。この構成により、上記固定金具を上記ＡＣインレットにはめ込んでネジ止めする際に、上記固定金具をＡＣインレットの前後方向における位置あわせが容易となり、ネジ止めの作業性が向上する。
【００１９】
さらに、請求項６にかかる発明は、上記請求項２〜請求項５のいずれかに記載のＡＣインレット固定構造において、上記ＡＣインレットは、左右に張り出すとともにそれぞれ穴が形成された第一の裾および第二の裾を有し、上記当接部が上記ＡＣインレットを上記基板との間に保持しつつ、上記第一フランジ部と上記回り込み部とが上記第一の裾と上記基板とを間に挟みこんで一本のネジにて共締めされ、上記第二フランジ部と上記第二の裾とが上記基板にネジ止めされる構成としてある。
すなわち、上記第一フランジ部と上記基板にて上記第一の裾を挟み込んでネジ止め固定するため、上記ＡＣインレットが上記基板に対してさらに強固に固定され、上記ＡＣインレットにＡＣ電源ケーブルを抜き挿しする際に前後左右やねじり方向に対する応力が発生しても、上記ＡＣインレットは、容易には動かず、上記基板に半田付けされた接点がにおいて、さらに半田剥がれが生じにくい構造と成る。
【００２０】
さらに、請求項７にかかる発明は、上記請求項２〜請求項６のいずれかに記載のＡＣインレット固定構造において、上記基板と上記ＡＣインレットと上記固定金具とは、筐体に収容され、上記第一フランジ部と上記回り込み部とが上記第一の裾と上記基板とを間に挟みこんで一本のネジにて上記筐体の所定の位置に形成されたネジ受けボスに共締めされ、上記第二フランジ部と上記第二の裾と上記基板とが上記筐体の所定の位置に形成されたネジ受けボスにネジ止めされる構成としてある。
すなわち、ネジの固定先を上記ネジ受けボスとしたため、上記基板を上記筐体に固定するための構造と、上記ＡＣインレットを上記基板に対して固定する構造とを一体とすることが可能となり、空間容積を節約することが出来るとともに、部品点数をすくなくすることが可能となる。
【００２１】
さらに、請求項８にかかる発明は、上記請求項２〜請求項６のいずれかに記載のＡＣインレット固定構造において、上記固定金具には、ネジ穴が設けられており、同ネジ穴に他の金属部材がネジ止め可能とされる構成としてある。
【００２２】
すなわち、上記ＡＣインレットの上方に金属部材が配置される構造において、上記固定構造に設けらるネジ穴に同金属部材を取り付けることにより、同金属部材の位置保持と固定とに利用することが可能となり、別途、同金属部材の固定や位置保持用の構造を設ける必要がなくなるため、空間容積を節約することが出来るとともに、部品点数をすくなくすることが可能となる。
【発明の効果】
【００２３】
以上説明したように本発明によれば、ＡＣインレットを基板に対して強固に固定するとともに、ＡＣインレットにＡＣ電源ケーブルを抜き挿しする際に前後左右やねじり方向に対する応力が発生しても、ＡＣインレットは、容易には動かず、基板に半田付けされた接点がにおいて、半田剥がれが生じにくいＡＣインレット固定構造を提供することができる。また、細長の一本の板金にて固定金具を形成する為、基板に対する設置面積が少なくなるとともに、必要な空間容積も少なくすることが出来る。
【００２４】
また請求項３にかかる発明によれば、ＡＣインレットにＡＣ電源ケーブルを抜き挿しする際に前後左右やねじり方向に対する応力が発生しても、ＡＣインレットは、容易には動かず、基板に半田付けされた接点がにおいて、さらに半田剥がれが生じにくいＡＣインレット固定構造を提供することができる。
そして請求項４にかかる発明によれば、固定金具をＡＣインレットにはめ込んでネジ止めする際に、固定金具をＡＣインレットの前後方向における位置あわせが容易となり、ネジ止めの作業性が向上する。
さらに請求項５にかかる発明によれば、固定金具をＡＣインレットにはめ込んでネジ止めする際に、固定金具をＡＣインレットの前後方向における位置あわせが容易となり、ネジ止めの作業性が向上する。
また請求項６にかかる発明によれば、ＡＣインレットが基板に対してさらに強固に固定され、ＡＣインレットにＡＣ電源ケーブルを抜き挿しする際に前後左右やねじり方向に対する応力が発生しても、ＡＣインレットは、容易には動かず、基板に半田付けされた接点がにおいて、さらに半田剥がれが生じにくい構造と成る。
そして請求項７にかかる発明によれば、固定金具、ＡＣインレット、基板、および金属部材を同一のポイントで固定することが可能となるため、空間容積を節約することが出来るとともに、部品点数をすくなくすることが可能となる。
【００２５】
また、請求項８にかかる発明によれば、別途、金属部材の固定や位置保持用の構造を設ける必要がなくなるため、空間容積を節約することが出来るとともに、部品点数をすくなくすることが可能となる。
さらに請求項１のような、より具体的な構成において、上述した請求項２〜請求項８の各発明と同様の作用を奏することはいうまでもない。
【発明を実施するための最良の形態】
【００２６】
以下、下記の順序に従って本発明の実施形態を説明する。
（１）プロジェクタ装置の概略構成：
（２）ＡＣインレット固定構造：
（３）ＡＣインレット固定構造の第一の変形例：
（４）ＡＣインレット固定構造の第二の変形例：
（５）ＡＣインレット固定構造の第三の変形例：
（６）まとめ：
【００２７】
（１）プロジェクタ装置の概略構成： 
図１、図２を参照して本発明のプロジェクタ装置１００について説明する。図１にはプロジェクタ装置１００の筐体内部を、模式的に描いた側面図を示してある。また、図２には図１にて図示を省略してある光学系の各構成部品の配置図を示した。
【００２８】
図１において、プロジェクタ装置１００は、概略、各構成部品を収容する扁平な略直方体状の筐体１０と、外部より電源を供給されて各種電源電圧を供給する電源基板１２と、映像／音声信号および各種制御信号が入出力される入出力端子を備える入出力基板１４と、同入出力基板１４が戴置されるシャーシ１８と、入出力基板１４より出力される映像信号に基づいて光学系を制御する映像信号処理基板１６と、同制御に基づいて映像をスクリーンに投影する光学系２０と、から構成される。
【００２９】
筐体１０には、電源基板１２やシャーシ１８などを戴置するためのネジ受けボスが複数形成されている。また、各基板上に配置されるコネクタ類や光学系の投影レンズ等を外部に露出させる穴が所定の位置に形成される。
【００３０】
電源基板１２は、筐体の一方の端に沿って略水平に筐体１０の内底面に形成されるネジ受けボスの上に戴置され、ネジ止めされることにより、筐体１０に対して固定されている。また、電源基板１２の筐体１０の端に沿う側の一方の角には、ＡＣインレット３０がＡＣ電源ケーブルを挿入されるコネクタ部を筐体１０の外に向けつつ配置され、ＡＣインレット３０を介して外部より交流電源が供給されて各種電圧を供給する。
【００３１】
電源基板１２の上方には金属製のシャーシ１８が略水平に配置され、筐体１０に形成されるネジ受けボスや後述する固定金具４０などにて所定の高さに保持されている。シャーシ１８の上には複数の切り起しが形成され、入出力基板１４が同切り起しの上に戴置されるとともにネジ止めなどにて固定されている。
【００３２】
入出力基板１４は、映像／音声信号が入出力される端子やＰＣなどの外部制御機器からの制御信号が入出力される端子などの入出力端子１４ｂを、筐体１０の一方の端に沿って外部に露出させている。そして、電源基板１２から電源の供給を受けつつ、入出力端子１４ｂから入出力される信号を、一方の端がコネクタ１４ａに接続されるとともに他方の端が映像信号処理基板１６のコネクタ１６ａに接続された所定のインターフェース１５を介して、映像信号処理基板１６に対して送受信する。
【００３３】
映像信号処理基板１６は、インターフェースを介して入力される映像信号を赤Ｒ、緑Ｇ、および青Ｂの３原色のＲＧＢ信号に分解し、ＲＧＢ信号の色レベル等の補正を行い、補正を行ったＲＧＢの信号を光学系へと出力する。
【００３４】
図１において前方の略半分を占める光学系については図２を参照して説明する。
図２において、プロジェクタ装置１００の光学系は、白色光を生成可能な光源装置２４と、図示しないＲＧＢの３色のカラ−フィルタを具備する円盤状のカラ−ホイ−ル２１と、カラ−ホイ−ル２１により分離されたＲ、ＧまたはＢの光を集め、当該光を後述するミラ−２３へと案内するロッドインテグレ−タ２２と、ロッドインテグレ−タ２２からの光を反射させるミラ−２３と、複数のマイクロミラ−を具備するＤＭＤ２５と、ＤＭＤ２５からの光をスクリ−ンに投影させるための投影レンズ２６とにより構成される。また、ロッドインテグレ−タ２２とミラ−２３との間、および、ミラ−２３とＤＭＤ２５との間には、それぞれイルミネ−ションレンズ２７、２８が設けられている。
【００３５】
光源装置２４は、白色光を生成するランプ２４ａと、ランプ２４ａから後方に出射した光を反射させる放物面形状のリフレクタ２４ｂとを備えており、ランプ２４ａにて生成した光を、カラ−ホイ−ル２１に向けて出射させるようになっている。ランプ２４ａとしては、例えば、ハロゲンランプ、メタルハライドランプ、高圧水銀ランプ等を用いることが可能である。また、リフレクタ２４ｂとしては、放物面鏡や、楕円面鏡等を用いることが可能である。
【００３６】
カラ−ホイ−ル２１は、略円盤形状を有しており、図示しないＲＧＢの３色のカラ−フィルタが等間隔に配置されている。このカラ−ホイ−ル２１が回転することにより、光源装置２４から出射した白色光が、Ｒ、Ｇ、Ｂの光に順次分離される。ロッドインテグレ−タ２２は、後に図面を用いて詳述するが、断面視略矩形状の柱状体であり、入射したカラ−ホイ−ル２１からの光を略矩形状の均一な面状の光に変換してミラ−２３に案内する。イルミネ−ションレンズ２７は、ロッドインテグレ−タ２２からの光をミラ−２３に集光させるためのものであり、イルミネ−ションレンズ２８は、ミラ−２３により反射した光をＤＭＤ２５に集光させるためのものである。
【００３７】
ＤＭＤ２５は、図３に示すように、ＲＧＢの各光を画像デ−タに応じて画素毎に変調する変調素子としてのマイクロミラ−２５ａを複数備えており、各マイクロミラ−２５ａは、個別に駆動制御され、反射面の角度を所定角度（例えば、１２度）傾斜させることが可能となっている。
【００３８】
投影レンズ２６は、ＤＭＤ２５によって変調された画像光をスクリ−ンに拡大投影するためのものであり、ＲＧＢの各色光の色収差等に起因する投影画像の不鮮明を防止する目的で、複数の集光素子を光軸方向に沿って配置した組レンズとして構成されている。
【００３９】
図中、２点鎖線の矢印は、光の進行方向を示している。光源装置２４から出射した白色光は、カラ−ホイ−ル２１によりＲＧＢの各色光に分離され、同分離された光はロッドインテグレ−タ２２により集められ、ミラ−２３に案内される。ロッドインテグレ−タ２２から出射した光は、ロッドインテグレ−タ２２とミラ−２３との間に介在するイルミネ−ションレンズ２７により集光されてミラ−２３に入射し、ミラ−２３により反射される。ミラ−２３により反射された光は、イルミネ−ションレンズ２８により集光されてＤＭＤ２５に入射する。そして、ＤＭＤ２５により変調された画像光は、投影レンズ２６によりスクリ−ンに拡大投影される。
【００４０】
（２）ＡＣインレット固定構造： 
図３、図４を参照してプロジェクタ装置１００におけるＡＣインレット固定構造について説明する。図３は、本実施形態にかかるＡＣインレット３０と固定金具４０、そして、その上下に位置する電源基板１２とシャーシ１８を拡大して示した斜視図である。また、図４は、本実施形態にかかるＡＣインレットを固定金具４０にて固定しつつ電源基板１２に取り付ける取り付け方を説明する斜視図である。以下の実施例は、本発明のＡＣインレット固定構造をプロジェクタ装置に適用したものであるが、本発明はこれに限定されるものではなく、ＡＣインレットが基板の端部に位置する電子機器であれば様々なものに適用可能である。
【００４１】
図３に示すように、電源基板１２とシャーシ１８が平行に配置され、電源基板１２のシャーシ１８に面する側の端部にＡＣインレット３０が配置される。このＡＣインレット３０は、ＡＣ電源ケーブルより供給される電源電圧を電源基板１２へと供給する為の端子が下方に向けて突出しており、電源基板１２の所定の穴に挿入されて半田付けされて電源基板１２との接点となっている。また、ＡＣインレット３０は、固定金具４０が上面と左右両側面に当接され、同固定金具４０とともに電源基板１２にネジ止め固定される。これにより、ＡＣインレット３０にＡＣ電源ケーブルが抜き挿しされる際にかかる挿抜方向の応力や捻り方向の応力を固定金具４０が受け止め、半田付けされた部分に応力がかかりにくくなり、半田剥がれが防止される。
【００４２】
図４に示すように、ＡＣインレット３０は、概略、ＡＣ電源ケーブルのコネクタが挿入される穴が内部に形成される略直方体状の本体部３０ｇと、その左右に張り出す左裾部３０ａと右裾部３０ｂと、左裾部３０ａに上下方向に貫通する穴として形成されるネジ穴３０ｃと、右裾部３０ｂに上下方向に貫通する穴として形成されるネジ穴３０ｄと、背面より下方に向けて突出してＡＣ電源電圧を電源基板１２に対して供給する端子３０ｅ，３０ｆと、アース電位供給用の端子３０ｈとから構成されている。上記第一の裾および上記第二の裾は、左裾部３０ａと右裾部３０ｂのいずれかに相当する。
【００４３】
また、固定金具４０は、幅の細い細長の板金を折り曲げ成型することにより形成され、概略、上面４０ｇと、左側面４０ｅと、右側面４０ｆと、左フランジ部４０ａと、右フランジ部４０ｂと、側壁４０ｃと下面４０ｄとから構成される回り込み部４１と、上面においてネジ切りのされた穴として形成されるネジ穴４０ｉと、左フランジ部４０ａに穴として形成されるネジ穴４０ｋと、右フランジ部４０ｂに穴として形成されるネジ穴４０ｉと、下面４０ｄに穴として形成されるネジ穴４０ｈと、から構成される。
【００４４】
上面４０ｇと左側面４０ｅと右側面４０ｆとは、上面４０ｇの両端部より左側面４０ｅと右側面４０ｆとが同方向かつ略垂直に屈曲形成されて、略コ字型となる。この略コ字型を形成する上面４０ｇと左側面４０ｅと右側面４０ｆとが、ＡＣインレット３０の上面と左右側面とに当接する当接部を構成する。
【００４５】
左側面４０ｅと右側面４０ｆの端部から、略垂直側方に左フランジ部４０ａと右フランジ部４０ｂとが互いに逆向きに屈曲形成され、上面４０ｇと左側面４０ｅと右側面４０ｆと左フランジ部４０ａと右フランジ部４０ｂとでハット型が形成される。上記第一のフランジ部と上記第二のフランジ部とは、この左フランジ部と右フランジ部のいずれかに相当し、右と左とは上記第一の裾と上記第二の裾などとの関係により適宜選択される。
【００４６】
さらに、右フランジ部４０ｂからは、略垂直下方に屈曲形成される側壁４０ｃが形成されるとともに、さらに右フランジ部４０ｂを真下にオフセットした位置に形成されるように略垂直に屈曲形成される下面４０ｄが形成される。この側壁４０ｃと下面４０ｄとが、回り込み部４１を構成する。
【００４７】
また、上記ＡＣインレット３０および上記固定金具４０の構造に対応するように、電源基板１２には、概略、ネジ穴１２ａ、１２ｂと、挿入穴１２ｃ、１２ｄとが形成される。ネジ穴１２ａ、１２ｂは、それぞれネジ穴４０ｋ、４０ｉに対応する位置に形成される。
【００４８】
以上の構成より、ＡＣインレット３０と固定金具４０と電源基板１２とがどのように係合するかを説明する。
まず、電源基板１２のネジ穴１２ａ、１２ｂとネジ穴３０ｃ、３０ｄとの位置がそれぞれ合うように、挿入穴１２ｃ、１２ｄにそれぞれ端子３０ｅ，３０ｆが挿入され、端子３０ｅ，３０ｆとが電源基板１２に半田付けされる。
次に、固定金具４０が、上面４０ｇと左側面４０ｅと右側面４０ｆとが、ＡＣインレットの本体部３０ｇを上方より囲うようにはめ込まれる。このときＡＣインレット３０の後方よりはめ込む場合は、ＡＣインレット３０の後方にて回り込み部４１が電源基板１２を挟み込むように位置させるとともに、そのままＡＣインレット３０に向けてスライドさせてはめ込む。一方上方よりはめ込む場合は、固定金具４０の当接部を左右に開いてたわませつつ回り込み部４１が右裾部３０ｂと電源基板１２とを上下に挟み込むようにはめ込むことになる。これにより当接部がＡＣインレット３０を電源基板との間に保持することになる。
【００４９】
そして、ＡＣインレット３０の右裾部３０ｂは、ネジ穴４０ｉ，３０ｄ，１２ｂ、４０ｄの順に上方よりネジを挿入されて筐体１０の底面に形成されるネジ受けボス１０ｂに対してネジ止めされることにより一本のネジにて共締めされて固定される。また、ＡＣインレット３０の左裾部３０ａは、ネジ穴４０ｋ，３０ｃ，１２ａの順に上方よりネジを挿入されて筐体１０の底面に形成されるネジ受けボス１０ａに対してネジ止めされることにより一本のネジにて固定される。
【００５０】
すなわち、右フランジ部４０ｂと回り込み部４１とが右裾部３０ｂと電源基板１２とを間に挟みこんで一本のネジにて筐体１０の所定の位置に形成されたネジ受けボス１０ｂに共締めされ、左フランジ部４０ａと左裾部３０ａと電源基板１２とが筐体１０の所定の位置に形成されたネジ受けボス１０ａにネジ止めされる。
【００５１】
むろん、ネジ受けボス１０ａ，１０ｂがなくともＡＣインレット３０を固定金具４０にて固定することは可能で、ネジ受けボス１０ａ，１０ｂの代わりにナットなどのネジきりのなされた受け金具を用いてもよいし、右裾部３０ｂの側ではネジ穴４０ｈにねじ切りを形成することでも固定することは可能である。
【００５２】
さらに、固定金具４０の上面４０ｇに形成されたネジきりのなされたネジ穴４０ｊには、図３のように，金属部材であるところのシャーシ１８がネジ止め可能となっている。これにより、固定金具４０に他の部材を支えたり固定したりする機能を併せ持たせることが可能となり、部材配置に要する空間容積を少なくするとともに、部品点数を少なくすることが可能となり、好適である。むろん、ネジ穴４０ｊは、固定金具４０の上方に固定したり支えたりする必要のある部材がない場合は、形成する必要はない。
【００５３】
固定金具４０の厚みとしては、０．２〜１ｍｍが適当である。この厚みは、固定金具４０をＡＣインレット３０および電源基板１２にはめる際のはめ方によって適宜変更するとよい。すなわち、ＡＣインレットを電源基板１２上に戴置した後、固定金具４０を上方よりはめる場合は、薄めの板金を使用した方がよく、固定金具４０をたわませつつはめ込むことが可能となる。一方、ＡＣインレットを電源基板１２上に戴置した後、固定金具４０を上方よりはめる場合は、厚めの板金を使用可能となり、ＡＣインレット３０の後方からＡＣインレットの側面の形状に沿ってはめ込む。この板金の厚みは、ＡＣインレット３０の後方にスペースがあるか否かで選択され、スペースがある場合は厚めの板金が使用可能であり、スペースがない場合は薄めの板金を使用すると作業性が向上する。
【００５４】
（３）ＡＣインレット固定構造の第一の変形例： 
さらに図５を参照して、本発明の第一の変形例について説明する。本変形例は、ＡＣインレット３０の右裾部３０ｂの形状に関するものであるため、右裾部３０ｂを除く部位には図４と同じ符号を付して説明する。同図には本変形例にかかるＡＣインレット３０を固定金具４０にて固定しつつ電源基板１２に取り付ける取り付け方を斜視図にて示してある。
【００５５】
図５において、ＡＣインレット３０の右裾部は、盛上部３１ａと凹み部３１ｂとネジ穴３１ｃとから構成される。盛上部３１ａは凹み部３１ｂよりも高く形成されるとともに、凹み部３１ｂはＡＣインレットの左右方向に溝として形成され、固定金具４０の右フランジ部４０ｂが凹み部３１ｂにはまる幅と成っている。そして、凹み部３１ｂの溝にはネジ穴４０ｉに対応する位置にネジ穴３１ｃが形成されている。この構成により、固定金具４０をＡＣインレット３０にはめ込んでネジ止めする際に、固定金具４０をＡＣインレットの３０の前後方向における位置あわせが容易となり、ネジ止めの作業性が向上する。
【００５６】
（４）ＡＣインレット固定構造の第二の変形例 
さらに、固定金具の位置決めを容易にするための第二の変形例として、図６に示す構造が採用可能である。同図は、ＡＣインレット３０を側面からみた平面図が示してある。本変形例は、電源基板１２に構成を付加するものであるため、新たに付加する構成以外の構成は、図４と同じ符号を使用して説明する。
【００５７】
図６において、電源基板１２には、右裾部３０ｂの側方の所定位置に固定金具４０の幅に相当する間隔を置いて半田盛３２ｃ、３２ｄが形成されている。また、電源基板１２の裏面の所定位置にも固定金具４０の幅に相当する間隔を置いて半田盛３２ａ、３２ｂが形成されている。所定位置としては、固定金具４０がＡＣインレット３０と電源基板１２とを挟んで保持しつつネジ受けボス１０ａ，１０ｂにネジ止めされる状態で、その固定金具４０の両脇であり、回り込み部４１の取り付け位置を表す位置や、右フランジ部４０ｂの取り付け位置を表す位置であればよい。この構成により、固定金具４０をＡＣインレット３０にはめ込んでネジ止めする際に、固定金具４０をＡＣインレットの３０の前後方向における位置あわせが容易となり、ネジ止めの作業性が向上する。
【００５８】
これら半田盛は、半田盛３２ｃ、３２ｄと半田盛３２ａ、３２ｂのいずれか一方の組が形成されていればよく、半田盛３２ｃ、３２ｄだけであっても、半田盛３２ａ、３２ｂだけであっても、両者とも形成されていてもよい。また、電源基板１２の側面において、側壁４０ｃの両脇に形成されても無論構わない。
【００５９】
（５）ＡＣインレット固定構造の第三の変形例 
【００６０】
さらに、図７を参照して、本発明の第三の変形例について説明する。同図は、ＡＣインレット３０を背面より見た平面図が示してある。本変形例においては固定金具４０の上面を除くと図４と同じ構成であるので、新たに付加する構成以外の構成は、図４と同じ符号を使用して説明する。
【００６１】
図７において、固定金具４０の上面３３は、ＡＣインレット３０の本体部３０ｇの上面と接する面が、同本体部３０ｇの上面に凸面を向けた曲線状に形成される。図７において、上面３３の曲線の最も低くなるＡ点の高さはｘとなり、ＡＣインレットの左裾部３０ａの上面より本体部３０ｇの上面までの高さと等しくなる。一方、ネジ止め固定されない状態でのＡ点の高さは、ｘよりもやや低いものとする。従って、固定金具４０がネジ止め固定された状態では、ＡＣインレット３０に対して、上面３３により上方より応力がかかることとなり、ＡＣインレット３０と電源基板１２の面とが強固に接することと成る。従ってＡＣインレットにＡＣ電源ケーブルを抜き挿しする際に前後左右やねじり方向に対する応力が発生しても、ＡＣインレット３０は、容易には動かず、端子３０ｅ、３０ｆの半田が剥がれにくい構造と成る。
【００６２】
（６）まとめ： 
つまり、当接部を略コの字型に形成するとともに、当接部より右フランジ部４０ｂと左フランジ部４０ａとが側方に張り出すことによりハット型に成型し、右フランジ部４０ｂより下方に略垂直に屈曲するとともにさらに略垂直に屈曲されて右フランジ部を真下にオフセットした位置に面が形成されるように回り込み部４１を形成する。そして、当接部がＡＣインレット３０を電源基板１２との間に保持しつつ、ネジ穴４０ｉ，３０ｄ，１２ｂ，４０ｈをネジにて挿通して右フランジ部４０ｂと回り込み部４１とを電源基板１２に対して固定するとともに、ネジ穴４０ｋ，３０ｃ，１２ａをネジにて挿通して左フランジ部４０ａを電源基板１２に対して固定することにより、ＡＣインレット３０を電源基板１２に対して固定する。  
【００６３】
以上説明したように、本実施例に対応する請求項２にかかるＡＣインレット固定構造では、
構成としてある。接点が基板に半田付けされるＡＣインレットを固定金具にて同基板上に固定するＡＣインレット固定構造において、上記ＡＣインレットはコネクタ部を上記基板の端より外側に向けて上記基板の角に配置され、上記固定金具は、細長の一本の板金を折り曲げ成型することにより、上記ＡＣインレットの上面と左右側面とに当接する当接部と、同当接部より側方に張り出して上記基板の縁へと延びる第一フランジ部と、同当接部より同第一フランジ部と反対の側方に張り出す第二フランジ部と、同第一フランジ部より延びて上記基板の下へと回り込みつつ同第一フランジ部と対応する位置に配される回り込み部と、上記第一フランジ部に形成される第一の穴と、上記第二フランジ部に形成される第二の穴と、上記回り込み部の上記第一の穴と対応する位置に形成される第三の穴と、を備え、上記基板には、上記第一の穴と上記第二の穴とに対応する位置に穴が形成され、上記当接部が上記ＡＣインレットを上記基板との間に保持しつつ、上記第一フランジ部と上記回り込み部とが上記基板を間に挟みこんで一本のネジにて共締めされ、上記第二フランジ部が上記基板にネジ止めされる構成である
【００６４】
すなわち、上記当接部が略コの字型に形成されるとともに、同当接部より上記第一フランジ部と上記第二フランジ部とが側方に張り出すことによりハット型に成型さる。また、上記第一フランジ部より下方に略垂直に屈曲するとともにさらに略垂直に屈曲されて上記第一フランジ部を真下にオフセットした位置に面が形成されるように上記回り込み部が形成される。
【００６５】
そして、上記当接部が上記ＡＣインレットを上記基板との間に保持しつつ、上記第一の穴と上記基板に形成される穴と上記第三の穴とをネジにて挿通して上記第一フランジ部と上記回り込み部とを上記基板に対して固定するとともに、上記第二の穴と上記基板に形成される穴とをネジにて挿通して上記第二フランジ部を上記基板に対して固定し、上記ＡＣインレットを上記基板に対して固定する。
上記のように構成した請求項２に記載の発明においては、ＡＣインレットを基板に対して強固に固定するとともに、ＡＣインレットにＡＣ電源ケーブルを抜き挿しする際に前後左右やねじり方向に対する応力が発生しても、ＡＣインレットは、容易には動かず、基板に半田付けされた接点がにおいて、半田剥がれが生じにくいＡＣインレット固定構造を提供することができる。また、細長の一本の板金にて固定金具を形成する為、基板に対する設置面積が少なくなるとともに、必要な空間容積も少なくすることが出来る。
【００６６】
そして、請求項３にかかる発明では、、上記請求項２に記載のＡＣインレット固定構造において、上記当接部は、上記ＡＣインレットの上面と接する面が、上記ＡＣインレットに凸面を向けた曲線状に形成される構成としてある。
すなわち、上記ＡＣインレットにＡＣ電源ケーブルを抜き挿しする際に前後左右やねじり方向に対する応力が発生しても、上記ＡＣインレットは、容易には動かず、上記基板に半田付けされた接点がにおいて、半田剥がれが生じにくい構造と成る。
【００６７】
さらに、請求項４にかかる発明では、  さらに、請求項４にかかる発明では、上記請求項２または請求項３に記載のＡＣインレット固定構造において、上記基板には、上記回り込み部の取り付け位置を表す位置決め半田盛が形成される構成としてある。
すなわち、上記半田盛の形成される位置としては、上記固定金具が上記ＡＣインレットと上記基板とを挟んで保持しつつネジ止めされる状態で、同固定金具の両脇であり、上記回り込み部の取り付け位置を表す位置であればよい。この構成により、上記固定金具を上記ＡＣインレットにはめ込んでネジ止めする際に、上記固定金具をＡＣインレットの前後方向における位置あわせが容易となり、ネジ止めの作業性が向上する。
【００６８】
また、請求項５にかかる発明では、上記請求項２〜請求項４のいずれかに記載のＡＣインレット固定構造において、上記基板には、上記第一フランジ部の取り付け位置を表す位置決め半田盛が形成される構成としてある。
【００６９】
すなわち、上記半田盛の形成される位置としては、上記固定金具が上記ＡＣインレットと上記基板とを挟んで保持しつつネジ止めされる状態で、同固定金具の両脇であり、上記第一フランジ部の取り付け位置を表す位置であればよい。この構成により、上記固定金具を上記ＡＣインレットにはめ込んでネジ止めする際に、上記固定金具をＡＣインレットの前後方向における位置あわせが容易となり、ネジ止めの作業性が向上する。
【００７０】
さらに、請求項６にかかる発明は、上記請求項２〜請求項５のいずれかに記載のＡＣインレット固定構造において、上記ＡＣインレットは、左右に張り出すとともにそれぞれ穴が形成された第一の裾および第二の裾を有し、上記当接部が上記ＡＣインレットを上記基板との間に保持しつつ、上記第一フランジ部と上記回り込み部とが上記第一の裾と上記基板とを間に挟みこんで一本のネジにて共締めされ、上記第二フランジ部と上記第二の裾とが上記基板にネジ止めされる構成としてある。
すなわち、上記第一フランジ部と上記基板にて上記第一の裾を挟み込んでネジ止め固定するため、上記ＡＣインレットが上記基板に対してさらに強固に固定され、上記ＡＣインレットにＡＣ電源ケーブルを抜き挿しする際に前後左右やねじり方向に対する応力が発生しても、上記ＡＣインレットは、容易には動かず、上記基板に半田付けされた接点がにおいて、さらに半田剥がれが生じにくい構造と成る。
【００７１】
さらに、請求項７にかかる発明は、上記請求項２〜請求項６のいずれかに記載のＡＣインレット固定構造において、上記基板と上記ＡＣインレットと上記固定金具とは、筐体に収容され、上記第一フランジ部と上記回り込み部とが上記第一の裾と上記基板とを間に挟みこんで一本のネジにて上記筐体の所定の位置に形成されたネジ受けボスに共締めされ、上記第二フランジ部と上記第二の裾と上記基板とが上記筐体の所定の位置に形成されたネジ受けボスにネジ止めされる構成としてある。
すなわち、ネジの固定先を上記ネジ受けボスとしたため、上記基板を上記筐体に固定するための構造と、上記ＡＣインレットを上記基板に対して固定する構造とを一体とすることが可能となり、空間容積を節約することが出来るとともに、部品点数をすくなくすることが可能となる。
【００７２】
さらに、請求項８にかかる発明は、上記請求項２〜請求項６のいずれかに記載のＡＣインレット固定構造において、上記固定金具には、ネジ穴が設けられており、同ネジ穴に他の金属部材がネジ止め可能とされる構成としてある。
【００７３】
すなわち、上記ＡＣインレットの上方に金属部材が配置される構造において、上記固定構造に設けらるネジ穴に同金属部材を取り付けることにより、同金属部材の位置保持と固定とに利用することが可能となり、別途、同金属部材の固定や位置保持用の構造を設ける必要がなくなるため、空間容積を節約することが出来るとともに、部品点数をすくなくすることが可能となる。
【００７４】
以上の構成を踏まえた上で、請求項１の発明は、外部より電源を供給されて各種電源電圧を供給する電源基板と、映像／音声信号および各種制御信号が入出力される入出力端子を備える入出力基板と、同入出力基板が戴置されるシャーシと、上記入出力基板より出力される映像信号に基づいて光学系を制御する映像信号処理基板と、白色光を生成可能な光源装置と、ＲＧＢの３色のカラ−フィルタを具備する円盤状のカラ−ホイ−ルと、同カラ−ホイ−ルにより分離されたＲ、ＧまたはＢの光を集め、当該光を案内するロッドインテグレ−タと、同ロッドインテグレ−タからの光を反射させるミラ−と、複数のマイクロミラ−を具備するＤＭＤと、同ＤＭＤからの光をスクリ−ンに投影させるための投影レンズとを備えて、上記映像信号処理基板の制御に基づいて映像をスクリーンに投影する光学系と、各構成部品を収容する扁平な略直方体状の筐体と、を備えるプロジェクタ装置において、上記筐体には、上記電源基板や上記シャーシなどを戴置するためのネジ受けボスが複数形成され、各基板上に配置されるコネクタ類や光学系の投影レンズ等を外部に露出させる穴が所定の位置に形成され、上記電源基板は、上記筐体の一方の端に沿って略水平に上記ネジ受けボスの上に戴置されてネジ止めされ、上記筐体の端に沿う側の一方の角には、ＡＣインレットがＡＣ電源ケーブルを挿入されるコネクタ部を上記筐体の外に向けつつ配置され、上記シャーシは、上記電源基板の上方に略水平に配置され、上記筐体に形成されるネジ受けボスなどにて所定の高さに保持され、複数の切り起しが形成されて上記入出力基板が同切り起しの上に戴置されるとともにネジ止めなどにて固定され、上記入出力基板は、映像／音声信号が入出力される端子やＰＣなどの外部制御機器からの制御信号が入出力される端子などの入出力端子を、上記筐体の一方の端に沿って外部に露出させ、上記ＡＣインレットは、ＡＣ電源ケーブルのコネクタが挿入される穴が形成される略直方体状の本体部と、その左右に張り出す左裾部と右裾部と、同左裾部に上下方向に貫通する穴として形成されるネジ穴と、同右裾部に上下方向に貫通する穴として形成されるネジ穴と、背面より下方に向けて突出してＡＣ電源電圧を電源基板に対して供給する端子と、アース電位供給用の端子とを備え、固定金具が上面と左右両側面に当接され、同固定金具とともに上記電源基板にネジ止め固定され、上記固定金具は、幅の細い細長の板金を折り曲げ成型することにより形成され、上面と、左側面と、右側面と、左フランジ部と、左フランジ部と、側壁と下面とから構成される回り込み部と、上記上面においてネジ切りのされた穴として形成されるネジ穴と、上記左フランジ部に穴として形成されるネジ穴と、上記右フランジ部に穴として形成されるネジ穴と、下面に穴として形成されるネジ穴と、を備えて、上記上面と上記左側面と上記右側面とは上面の両端部より左側面と右側面とが同方向かつ略垂直に屈曲形成されて略コ字型とされ、上記左側面と上記右側面の端部から、略垂直側方に上記左フランジ部と上記右フランジ部とが互いに逆向きに屈曲形成され、上記上面と上記左側面と上記右側面と上記左フランジ部と上記右フランジ部とでハット型が形成され、上記右フランジ部からは略垂直下方に屈曲形成される側壁が形成されるとともに上記右フランジ部を真下にオフセットした位置に形成されるように略垂直に屈曲形成される下面が形成されて回り込み部を形成し、上記電源基板には、上記右フランジ部と上記左フランジ部のネジ穴に対応する位置にそれぞれネジ穴が形成され、上記電源基板のネジ穴と上記右フランジ部と上記左フランジ部のネジ穴の位置がそれぞれ合うように、上記端子を上記電源基板に半田付けし、上記上面と上記左側面と上記右側面とが上記ＡＣインレットの本体部を上方より囲うようにはめ込まれ、上記ＡＣインレットの右裾部は、上記右フランジ部のネジ穴，上記右裾部のネジ穴，上記電源基板のネジ穴、上記下面のネジ穴の順に上方よりネジを挿入されて上記筐体の底面に形成されるネジ受けボスに対してネジ止めされることにより一本のネジにて共締めされて固定され、上記ＡＣインレットの左裾部は、上記左フランジ部のネジ穴，上記左裾部のネジ穴，上記電源基板のネジ穴の順に上方よりネジを挿入されて上記筐体の底面に形成されるネジ受けボスに対してネジ止めされることにより一本のネジにて固定される構成としてある。
【００７５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７６】
【図１】本発明の実施形態にかかるプロジェクタ装置の筐体内部を模式的に描いた側面図である。
【図２】本発明の実施形態にかかる光学系の位置関係を示す図である。
【図３】本発明の実施形態にかかるＡＣインレット周辺の斜視図である。
【図４】本発明の実施形態にかかるＡＣインレットの取り付けを説明する図である。
【図５】本発明の実施形態にかかる第一の変形例を示す斜視図である。
【図６】本発明の実施形態にかかる第二の変形例を示す側面図である。
【図７】本発明の実施形態にかかる第三の変形例を示す側面図である。
【図８】従来のプロジェクタ装置およびＡＣインレット固定構造を示す斜視図である。
【図９】従来のＡＣインレット固定構造を背面より見た斜視図である。
【符号の説明】
【００７７】
１００…プロジェクタ装置
１０…筐体
１２…電源基板
１４…入出力基板
１４ａ…コネクタ
１４ｂ…入出力端子
１５…ケーブル
１６…映像信号処理基板
１６ａ…コネクタ
１８…シャーシ
２０…光学系
２１…カラーホイール
２２…ロッドインテグレータ
２３…ミラー
２４…光源装置
２４ａ…ランプ
２４ｂ…リフレクタ
２５…ＤＭＤ
２６…投影レンズ
２７…イルミネーションレンズ
２８…イルミネーションレンズ
３０…ＡＣインレット
４０…固定金具
１０ａ…ネジ受けボス
１０ｂ…ネジ受けボス
１２ａ、１２ｂ…穴
１２ｃ、１２ｄ…挿入口
３０ａ…左裾
３０ｂ…右裾
３０ｃ、３０ｄ…ネジ穴
３０ｅ、３０ｆ…端子
３０ｇ…本体部
３０ｈ…端子
４０ａ…左フランジ部
４０ｂ…右フランジ部
４０ｃ…側壁
４０ｄ…下面
４０ｅ…左側面
４０ｆ…右側面
４０ｇ…上面
４１…回り込み部
４０ｈ、４０ｉ、４０ｊ、４０ｋ…ネジ穴
【図１】
2007280644.tif 000003
【図２】
2007280644.tif 000004
【図３】
2007280644.tif 000005
【図４】
2007280644.tif 000006
【図５】
2007280644.tif 000007
【図６】
2007280644.tif 000008
【図７】
2007280644.tif 000009
【図８】
2007280644.tif 000010
【図９】
2007280644.tif 000011